(57)【特許請求の範囲】
【請求項１】
足載せ台の取付部に、上下方向と一側方とに開口する係合凹部を設け、この係合凹部を椅子の脚柱に嵌合し、かつ前記係合凹部内に配設した押圧部材と、それに対向する前記係合凹部の内面とにより前記脚柱を挟み、前記押圧部材を、足載せ台に設けた締付手段をもって前記係合凹部の奥部に向かって締め付けることにより、足載せ台を脚柱に取付けるようにした椅子における足載せ台の取付構造において、
前記脚柱の外周面に、水平かつ円周方向を向く円弧状の係合溝または係合突条を、上下方向と円周方向とに並べてそれぞれ複数設け、かつ前記脚柱と対向する前記押圧部材の内面と、前記係合凹部の内面とに、それぞれ前記上下複数の係合溝または係合突条と選択的に係合しうる円弧状の係合突条または係合溝を設けたことを特徴とする椅子における足載せ台の取付構造。
【請求項２】
脚柱の外周面に設けた円弧状の係合溝または係合突条の長さと、押圧部材の内面と係合凹部の内面に設けた係合突条または係合溝の長さとを、ほぼ等しくしてなる請求項１記載の椅子における足載せ台の取付構造。
【請求項３】
係合突条または係合溝を、係合凹部の内面の下部に設けてなる請求項１または２記載の椅子における足載せ台の取付構造。
【請求項４】
脚柱の外周面における前後部に、上下複数の係合溝または係合突条をそれぞれ設け、前後の係合溝または係合突条に、押圧部材の内面と係合凹部の内面とに設けた係合突条または係合溝を係合させてなる請求項１〜３のいずれかに記載の椅子における足載せ台の取付構造。
【請求項５】
係合凹部と押圧部材に設けた係合突条または係合溝を、少なくとも上下２個とし、それらを、脚柱における互いに隣接する上下２個の係合溝または係合突条に選択的に係合するようにしてなる請求項１〜４のいずれかに記載の椅子における足載せ台の取付構造。
【請求項６】
締付手段を、押圧部材の外側面と対向するようにして、係合凹部内に外側方に移動不能として取付けられ、かつ脚柱と直交する方向のめねじ孔が設けられたねじ受け部材と、前記めねじ孔に螺合され、先端部により押圧部材を脚柱に向かって押動させる締付ねじとを備えるものとし、前記押圧部材とねじ受け部材とを、前記係合凹部内に収容した請求項１〜５のいずれかに記載の椅子における足載せ台の取付構造。
【請求項７】
係合凹部内の互いに対向する部分に、内向突部を突設し、この両内向突部と、それに対向するようにして、ねじ受け部材の両側端に突設した外向突部との対向面のいずれか一方に係止突部を、かつ他方に、係止突部が嵌合する係合孔を、それぞれ設けてなる請求項６記載の椅子における足載せ台の取付構造。
【請求項８】
押圧部材とねじ受け部材との対向部のいずれか一方に凹部を設け、この凹部に他方の対向部を嵌合させてなる請求項６または７記載の椅子における足載せ台の取付構造。
【発明の詳細な説明】
【技術分野】
【０００１】
本発明は、椅子の脚柱に、足載せ台を、高さ調節可能に取付けてなる椅子における足載せ台の取付構造に関する。
【背景技術】
【０００２】
例えば家庭で学習用に使用する子供用の椅子の中には、着座した子供の足が床に届かない場合に備えて、足載せ台を取付けたものがあり、また、このような足載せ台を、子供の成長に合わせて高さを調節可能としたり、不要となった際には取り外したりしうるように、脚柱に取付けたものが種々提案されている(例えば特許文献１〜３参照)。
【先行技術文献】
【特許文献】
【０００３】
【特許文献１】特開２００７−１８１６１４号公報
【特許文献２】実用新案登録第３０９７２９０号公報
【特許文献３】実用新案登録第３１４３０２１号公報
【発明の概要】
【発明が解決しようとする課題】
【０００４】
上記特許文献１〜３に記載されている足載せ台は、いずれも、脚柱に固定する中心部の取付部に、上下方向と後方に開口する係合凹部を設けてあるので、脚柱に足載せ台の取付部を嵌合する際には、座を脚柱に取付けた状態のまま側方より簡単に行うことができ、かつ取り外しも容易に行いうる利点がある。
しかし、上記いずれの足載せ台も、その取付部における係合凹部の開口端部に設けたねじ受け部材に、締付手段を取付け、この締付手段により、係合凹部の内面を脚柱の外周面に圧接させて、脚柱に足載せ台を固定し、締付手段を緩めることにより、足載せ台の高さを調節しうるようになっている。
そのため、子供等が不用意に締付手段を緩めたり、椅子の使用中に締付手段が多少でも緩んだりすると、すぐに足載せ台が上下方向に移動したり、脚柱回りに水平回動するなどし、脚柱に対し足載せ台の取付位置がずれてしまう恐れがある。
【０００５】
また、特許文献３に記載の足載せ台においては、その係合凹部の開口端部に、ねじ受け部材(挟み持ち部品)を、開口部の後方に突出させて取付けており、それが大きく露呈しているので、足載せ台の外観的体裁が悪く、かつ椅子としてのデザイン性もよくない。
【０００６】
本発明は、上記問題点に鑑みてなされたもので、締付手段に緩みが生じたとしても、足載せ台が上下方向に移動したり、回動したりするなど、脚柱に対し位置ずれするのを防止しうるようにし、かつねじ受け部材等が、取付部の外周部より外側方に大きく露呈するのを防止して、足載せ台の体裁及び椅子のデザイン性を向上させうるようにした、椅子における足載せ台の取付構造を提供することを目的としている。
【課題を解決するための手段】
【０００７】
本発明によると、上記課題は、次の各項のようにして解決される。
（１）足載せ台の取付部に、上下方向と一側方とに開口する係合凹部を設け、この係合凹部を椅子の脚柱に嵌合し、かつ前記係合凹部内に配設した押圧部材と、それに対向する前記係合凹部の内面とにより前記脚柱を挟み、前記押圧部材を、足載せ台に設けた締付手段をもって前記係合凹部の奥部に向かって締め付けることにより、足載せ台を脚柱に取付けるようにした椅子における足載せ台の取付構造において、前記脚柱の外周面に、水平かつ円周方向を向く円弧状の係合溝または係合突条を、上下方向と円周方向とに並べてそれぞれ複数設け、かつ前記脚柱と対向する前記押圧部材の内面と、前記係合凹部の内面とに、それぞれ前記上下複数の係合溝または係合突条と選択的に係合しうる円弧状の係合突条または係合溝を設ける。
【０００８】
このような構成とすると、脚柱の外周面に設けた水平かつ円周方向を向く円弧状の複数の係合溝または係合突条に、押圧部材の内面と係合凹部の内面に設けた円弧状の係合突条または係合溝を嵌合させた状態で、締付手段により脚柱の外周面に足載せ台を取付けることにより、締付手段に緩みが生じたとしても、足載せ台が上下方向に移動する恐れはない。
【０００９】
（２）上記(１)項において、脚柱の外周面に設けた円弧状の係合溝または係合突条の長さと、押圧部材の内面と係合凹部の内面に設けた係合突条または係合溝の長さとを、ほぼ等しくする。
【００１０】
このような構成とすると、足載せ台が脚柱回りに回動し、位置ずれするのが防止される。
【００１１】
（３）上記(１)または(２)項において、係合突条または係合溝を、係合凹部の内面の下部に設ける。
【００１２】
このような構成とすると、締付手段が緩んで、足載せ台の先端部が脚柱に対し下方に傾動しようとすると、係合凹部の係合突条または係合溝が、脚柱の係合溝または係合突条と深く嵌合するようになるので、足載せ台が妄りに下方に移動することがなくなる。
【００１３】
（４）上記(１)〜(３)項のいずれかにおいて、脚柱の外周面における前後部に、上下複数の係合溝または係合突条をそれぞれ設け、前後の係合溝または係合突条に、押圧部材の内面と係合凹部の内面とに設けた係合突条または係合溝を係合させる。
【００１４】
このような構成とすると、脚柱の外周面に、足載せ台を、位置ずれするのを確実に防止して安定よく取付けることができる。
【００１５】
（５）上記(１)〜(４)項のいずれかにおいて、係合凹部と押圧部材に設けた係合突条または係合溝を、少なくとも上下２個とし、それらを、脚柱における互いに隣接する上下２個の係合溝または係合突条に選択的に係合するようにする。
【００１６】
このような構成とすると、脚柱の外周面に、足載せ台を、位置ずれを防止して、より安定よく取付けることができる。
【００１７】
（６）上記(１)〜(５)項のいずれかにおいて、締付手段を、押圧部材の外側面と対向するようにして、係合凹部内に外側方に移動不能として取付けられ、かつ脚柱と直交する方向のめねじ孔が設けられたねじ受け部材と、前記めねじ孔に螺合され、先端部により押圧部材を脚柱に向かって押動させる締付ねじとを備えるものとし、前記押圧部材とねじ受け部材とを、前記係合凹部内に収容する。
【００１８】
このような構成とすると、押圧部材と締付手段の少なくともねじ受け部材は、係合凹部内に収容されているので、それらが、係合凹部の開口部より外側方に大きく突出して露呈するのが防止され、足載せ台の体裁及び椅子のデザイン性を向上させることができる。
【００１９】
（７）上記(６)項において、係合凹部内の互いに対向する部分に、内向突部を突設し、この両内向突部と、それに対向するようにして、ねじ受け部材の両側端に突設した外向突部との対向面のいずれか一方に係止突部を、かつ他方に、係止突部が嵌合する係合孔を、それぞれ設ける。
【００２０】
このような構成とすると、押圧部材を締め付ける際の反力がねじ受け部材に加わっても、係合凹部の開口部が外側方に拡開する恐れはない。従って、係合凹部に収容した押圧部材が側方にがたつくのが防止され、脚柱に向かって安定よく押動されるので、その先端部の係合突条または係合溝を、脚柱の係合溝または係合突条に確実に嵌合して係合させることができる。
また、押圧部材及び締付手段が、係合凹部より脱落するのが防止されるので、それらの組付け時の作業性がよくなる。
【００２１】
（８）上記(６)または(７)項において、押圧部材とねじ受け部材との対向部のいずれか一方に凹部を設け、この凹部に他方の対向部を嵌合させる。
【００２２】
このような構成とすると、押圧部材とねじ受け部材とを接近させうるので、それらを収容する係合凹部及び係合凹部が形成された取付部の側方への突出寸法が小さくなるので、足載せ台の体裁及び椅子のデザイン性をさらに向上させることができる。
【発明の効果】
【００２３】
本発明によれば、締付手段に緩みが生じたとしても、足載せ台が上下方向に移動して、位置ずれするのを防止することができる。
【図面の簡単な説明】
【００２４】
【図１】本発明の一実施形態を備える椅子の前方斜視図である。
【図２】同じく、足載せ台取付け時の椅子の要部の拡大斜視図である。
【図３】同じく、足載せ台取付け前の椅子の要部の分解斜視図である。
【図４】同じく、足載せ台取付部における締付手段締付け前の拡大中央縦断側面図である。
【図５】同じく、締付手段締付け時の拡大中央縦断側面図である。
【図６】図４のVI-VI線に沿う横断面図である。
【図７】図５のVII-VII線に沿う横断面図である。
【発明を実施するための形態】
【００２５】
以下、本発明の実施形態を、図面に基づいて説明する。
図１は、本発明の一実施形態を備える椅子の斜視図で、この椅子は、先端部にキャスタ１を有する放射方向を向く５本の脚杆２よりなる脚体３と、その中央に立設された脚柱４と、脚柱４の上端部に水平回転可能に取付けた支基(図示略)により支持された座体５と、支基の後端部の両側部より起立する背杆６、６の上端部に、左右１対の下方を向く背枠７、７を介して取付けられた背凭れ８とを備えている。
【００２６】
図４に示すように、脚柱４は、上端に支基が取付けられた伸縮脚９と、下端部が脚体３の中央に固着され、内部に収容した伸縮脚９を伸長させるガススプリング１０と、ガススプリング１０を覆うようにして、脚体３の中央に下端部が固着された合成樹脂よりなる円筒形のカバー脚１１とからなっている。
【００２７】
図２〜図４に示すように、カバー脚１１における左右の両側面を除いた前後の外周面には、水平方向を向く円弧状の上下複数の係合溝１２が、上下位置を互いに整合させて、一定間隔おきに形成されている。
また、図６に示すように、カバー脚１１の右側面には、上下方向を向くスリット１３が、上端部付近から下端まで形成され、カバー脚１１は、このスリット１３の溝幅分だけ縮径方向に弾性変形しうるようになっている。
【００２８】
カバー脚１１には、足載せ台１４が次のようにして取付けられている。
図２〜図７に示すように、足載せ台１４は、その中心部のカバー脚１１に固定可能な取付部１５と、その外周面より、椅子の前方(図４の左方)と両側方に向かって放射状に延出する３本の連結杆１６と、各連結杆１６の先端に接続された、取付部１５を中心とする平面視ほぼＣ字形の足載せ部１７と、取付部１５をカバー脚１１の外周面に締め付ける締付手段１８とを備えている。
【００２９】
取付部１５は、互いにほぼ平行をなして後方を向く左右１対の挟持片１５ａ、１５ａを有し、内部には、後方と上下両方向に開口する平面視後向きＵ字状の係合凹部１９が形成され、この係合凹部１９の前部側の半円状の内周面は、カバー脚１１の前半部の外周面と面接触しうるようになっている。
係合凹部１９における前下部の内面には、カバー脚１１の前側の上下複数の係合溝１２に前方より選択的に係合可能な、係合溝１２とほぼ同じ長さの水平かつ円弧状をなす係合突条２０が突設されている。
【００３０】
係合凹部１９の開口端部、すなわち取付部１５における両挟持片１５ａの後端部の対向面には、内向突部２１、２１が対向状に突設され、両内向突部２１における脚柱４と対向する前面には、上下方向を向く係止突部２２、２２が、前向きに突設されている。なお、両内向突部２１、２１の対向面間の寸法は、脚柱４の伸縮脚９の外径よりも若干大とされ、取付部１５を、伸縮脚９に、それと直交するいずれの方向からでも嵌合しうるようにしてある。
【００３１】
取付部１５の係合凹部１９には、前面が開口された縦断及び横断面形がコ字状をなす合成樹脂製の箱状の押圧部材２３が、カバー脚１１の後面と対向するようにして収容されている。
【００３２】
締付手段１８は、係合凹部１９の後方の開口端部内に、その部分を塞ぐようにして嵌合された合成樹脂製のねじ受け部材２４と、その内部の後述するナット３０に螺合される締付ねじ２５とからなり、押圧部材２３の後部は、ねじ受け部材２４の前面に設けた凹部２４ｂに相対移動可能に嵌合されている。なお、押圧部材２３とねじ受け部材２４の上下寸法は、それらを係合凹部１９に嵌合した際に、取付部１５の上下両面から突出しないように、その上下寸法よりも若干小さくしてある。
【００３３】
押圧部材２３におけるカバー脚１１の後面と対向する内面、すなわち、押圧部材２３の上下の前向片２３ａ、２３ａの前端部は、カバー脚１１の後面の互いに隣接する上下２個の係合溝１２に後方より選択的に係合可能な、係合溝１２とほぼ同じ長さの水平かつ円弧状の係合突条２６、２６とされている。なお、押圧部材２３を取付部１５の係合凹部１９に収容した際、押圧部材２３の下部の係合突条２６と、係合凹部１９の前下部の内周面に突設した係合突条２０とが、同一高さに整合するようになっている。
【００３４】
締付ねじ２５は、回動操作用の合成樹脂製の操作ノブ２７と、インサート成形により後部が操作ノブ２７の中心部に固定された前方を向くボルト２８とからなり、ボルト２８は、ねじ受け部材２４の中央部に穿設された前後方向を向く通孔２９に後方より挿入され、ねじ受け部材２４の内部にインサート成形により固定されたナット３０に螺合されるようになっている。なお、ナット３０の代わりに、ねじ受け部材２４に、ボルト２８が螺合されるめねじ孔を穿設してもよい。
ボルト２８の先端には、小径軸２８ａが突設されている。
【００３５】
押圧部材２３の両側部後面に形成された後方に開口する上下方向の長孔３１、３１には、平面視コ字状の押圧金具３２における左右両側の前向片３２ａ、３２ａが後方より嵌合され、押圧金具３２の前面は、押圧部材２３の後面に当接するようになっている。なお、このような押圧金具３２は省略することもある。
【００３６】
押圧部材２３の後面と押圧金具３２との中央部に形成された通孔３３、３３には、上記ボルト２８の小径軸２８ａが後方より回動可能に嵌合され、嵌合後において、小径軸２８ａの先端部の環状溝３４にＥ型リング３５を止着することにより、締付ねじ２５は、後方に抜け止めされるようになっている。
【００３７】
ねじ受け部材２４の両側面の中間部に突設された外向突部２４ａ、２４ａには、上記係止突部２２と反対方向である後方に開口する係合孔３６、３６が形成され、両係合孔３６を、取付部１５の後端部の前方を向く係止突部２２、２２に嵌合することにより、ねじ受け部材２４は、取付部１５の係合凹部１９内において、上下方向への移動と、脱落するのが阻止されている(図６参照)。
また、左右の外向突部２４ａ、２４ａの後面が、左右の内向突部２１、２１の前面に当接することにより、ねじ受け部材２４は、係合凹部１９の開口端部に、後方に抜け止めされて嵌合されている。
【００３８】
足載せ台１４を脚柱４に取付けるには、まず伸縮脚９に、取付部１５の係合凹部１９を、椅子の前方より嵌合する。
【００３９】
ついで、この状態において、伸縮脚９の後方に形成される係合凹部１９に、予め組み付けられた、押圧部材２３、押圧金具３２、ねじ受け部材２４、及び締付ねじ２５を、カバー脚１１の後面と対向するように嵌合する。この際に、係合凹部１９の開口端部の左右の係止突部２２、２２に、ねじ受け部材２４の両側部の係合孔３６、３６を嵌合することにより、押圧部材２３、ねじ受け部材２４及び締付ねじ２５全体が、係合凹部１９より脱落するのが防止され、係合凹部１９内に仮保持される。
【００４０】
ついで、図４及び図６に示すように、締付ねじ２５を緩めて、押圧部材２３を後限付近まで後方に移動させてから、足載せ台１４を下降させ、取付部１５における係合凹部１９の奥面と押圧部材２３の前端とにより、カバー脚１１の外周面を挟持する。
【００４１】
ついで、係合凹部１９の内面の係合突条２０と、押圧部材２３の前端の上下の係合突条２６、２６とを、それぞれ、カバー脚１１における前面と後面の上下複数の係合溝１２のいずれかに、前方及び後方より選択的に係合させる。
【００４２】
この状態で、締付ねじ２５を締め込むと、図５及び図７に示すように、ボルト２８の先端面により、押圧金具３２及び押圧部材２３が前方に押動されることにより、係合凹部１９に設けた係合突条２０が、カバー脚１１の前面の１個の係合溝１２に、押圧部材２３の前端部の係合突条２６、２６が、カバー脚１１の後面における上下に隣接する２個の係合溝１２、１２に、それぞれ強く係合する。
これにより、足載せ台１４は、カバー脚１１の任意の高さに固定される。この際、カバー脚１１の外周面には、上下方向を向くスリット１３が設けられ、締付ねじ２５の締付時の押圧荷重がスリット１３により逃がされるので、カバー脚１１の締付部が局部的に楕円形等に変形するのが防止される。
【００４３】
足載せ台１４の高さを調節する際は、締付ねじ２５を緩めて、前後の係合突条２０、２６を、カバー脚１１の前後両面の任意の係合溝１２に嵌合し、再度締付ねじ２５を締め込めばよく、これにより、足載せ台１４の高さを段階的に調節することができる。なお、足載せ台１４の高さを確認するために、カバー脚１１の左側面には、高さの目盛りを付した目盛シール３７を貼着してある。
【００４４】
以上説明したように、上記実施形態の足載せ台の取付構造においては、脚柱４の一部をなすカバー脚１１の外周面の前後両面に、円周方向を向く円弧状の係合溝１２を、上下複数設け、それらの任意の係合溝１２に、足載せ台１４の係合凹部１９の内面に突設した、係合溝１２とほぼ同じ長さの円弧状の係合突条２０と、押圧部材２３の前端部における係合溝１２とほぼ同じ長さの円弧状の係合突条２６、２６とを係合させて、カバー脚１１に足載せ台１４を固定しているので、締付ねじ２５に多少の緩みが生じたとしても、足載せ台１４が上下方向に移動したり、カバー脚１１回りに回動したりする恐れはない。従って、カバー脚１１に対し足載せ台１４が位置ずれするのを防止することができる。
【００４５】
また、押圧部材２３とねじ受け部材２４は、足載せ台１４における取付部１５の係合凹部１９内に収容されているので、それらが、取付部１５の後方に大きく突出して露呈するのが防止され、足載せ台１４の体裁及び椅子のデザイン性が向上する。
【００４６】
さらに、取付部１５の両挟持片１５ａの後端部に突設した内向突部２１、２１に、前方を向く係止突部２２、２２を設け、これらの係止突部２２に、ねじ受け部材２４の両側部に設けた後方に開口する係合孔３６、３６を係合させているので、押圧部材２３を締め付ける際の反力がねじ受け部材２４に加わっても、係合凹部１９の開口端部が外側方に拡開する恐れはない。従って、係合凹部１９に収容した押圧部材２３の左右方向へのがたつきが防止され、カバー脚１１に向かって安定よく押動されるので、その先端部の係合突条２６を、カバー脚１１の係合溝１２に確実に嵌合して係合させることができる。
【００４７】
また、取付部１５の係止突部２２に、ねじ受け部材２４の係合孔３６を係合させると、押圧部材２３と締付手段１８とが係合凹部１９より脱落するのが防止されるので、それらの組付け時の作業性がよくなる。
【００４８】
本発明は、上記実施形態に限定されるものではない。
上記実施形態では、カバー脚１１の前後両面に係合溝１２を設け、それらに、足載せ台１４の係合凹部１９の内面と押圧部材２３とに設けた係合突条２０、２６を係合させているが、係合溝１２を前後いずれか一方のみに設け、この係合溝１２に、足載せ台１４の係合凹部１９の係合突条２０または押圧部材２３の係合突条２６を係合させるようにしてもよい。
【００４９】
また、上記実施形態とは反対に、カバー脚１１の係合溝１２を係合突条に、係合凹部１９及び押圧部材２３の係合突条２０、２６を係合溝にすることもできる。この際には、押圧部材２３におけるカバー脚１１との対向面を、円弧状の曲面とし、その前面に係合突条を突設すればよい。
【００５０】
さらに、上記実施形態では、足載せ台１４の係合凹部１９の内面に、１個の係合突条２０を設けてあるが、押圧部材２３と同様に、係合突条２０を上下２個設けて、それらを、前面の上下に隣接する２個の係合溝１２に係合させるようにしてもよい。このようにすると、カバー脚１１の外周面に、足載せ台１４を、位置ずれするのを確実に防止して安定よく取付けることができる。なお、係合突条２０、２６は、２個以上設けることもある。
【００５１】
上記実施形態では、係合凹部１９における開口端部に突設した内向突部２１、２１に、前方を向く係止突部２２、２２を設け、両係止突部２２に、ねじ受け部材２４における両側部の外向突部２４ａ、２４ａに設けた後方に開口する係合孔３６を嵌合させているが、これとは反対に、外向突部２４ａの後面に後向きの係止突部２２を設けるとともに、内向突部２１の前面に係合孔３６を設け、それらを互いに嵌合させてもよい。
【符号の説明】
【００５２】
１  キャスタ
２  脚杆
３  脚体
４  脚柱
５  座体
６  背杆
７  背枠
８  背凭れ
９  伸縮脚
１０  ガススプリング
１１  カバー脚
１２  係合溝
１３  スリット
１４  足載せ台
１５  取付部
１５ａ挟持片
１６  連結杆
１７  足載せ部
１８  締付手段
１９  係合凹部
２０  係合突条
２１  内向突部
２２  係止突部
２３  押圧部材
２３ａ前向片
２４  ねじ受け部材
２４ａ外向突部
２４ｂ凹部
２５  締付ねじ
２６  係合突条
２７  操作ノブ
２８  ボルト
２８ａ小径軸
２９  通孔
３０  ナット
３１  長孔
３２  押圧金具
３２ａ前向片
３３  通孔
３４  環状溝
３５  Ｅ型リング
３６  係合孔
３７  目盛シール
【図１】
0005714984.tif 000002
【図２】
0005714984.tif 000003
【図３】
0005714984.tif 000004
【図４】
0005714984.tif 000005
【図５】
0005714984.tif 000006
【図６】
0005714984.tif 000007
【図７】
0005714984.tif 000008